【事件の表示】
　平成　９年特許願第１１６４０９号「タッチパネル付表示装置」拒絶査定に対する審判事件［平成１０年１１月　４日出願公開、特開平１０−２９３６４４］について、次のとおり審決する。
【結　論】
　本件審判の請求は、成り立たない。
【理　由】
【１】本願発明
　本願は、平成９年４月２１日の出願であって、その発明を特定するために必要な事項は、平成１２年３月２９日付け手続補正書により補正された明細書及び図面の記載からみて、その特許請求の範囲の請求項１乃至７に記載されたとおりの「タッチパネル付表示装置」であって、その請求項１に記載された発明（以下、「本願発明」という。）は、次のとおりのものと認める。（なお、平成１２年９月１日付けの手続補正は、却下された。）
「【請求項１】情報表示機能を有する表示パネルと、この表示パネルの上方近傍に配置されていて、操作された位置を表すための一種類以上の位置成分信号を出力する透明または半透明のタッチパネルと、このタッチパネルからの位置成分信号に基づいて、当該タッチパネルの操作位置を検出してその操作位置を表す操作位置信号を出力する操作位置検出手段と、前記タッチパネルにおいてスイッチとして使用するスイッチ使用領域を設定するスイッチ使用領域設定手段と、このスイッチ使用領域設定手段で設定したスイッチ使用領域と、前記操作位置検出手段で検出した操作位置とを比較して、前者と後者が重なるときに一致検出信号を出力する一致検出手段と、前記タッチパネルが所定の押圧力以上で押圧されたことを検出して押圧検出信号を出力する押圧検出手段と、この押圧検出手段から与えられる押圧検出信号に応答して駆動信号を発生する駆動信号発生手段と、この駆動信号発生手段から与えられる駆動信号に基づいて前記タッチパネルを機械的に駆動して当該タッチパネルの操作者に触感応答を与える駆動手段と、前記一致検出手段から一致検出信号および前記押圧検出手段から押圧検出信号が共に与えられたときにアンド信号を出力する論理積手段と、常時は前記操作位置検出手段から与えられる操作位置信号の通過を阻止しており、前記論理積手段からアンド信号が与えられたときに当該阻止を解除して前記操作位置信号を通過させて出力するゲート手段とを備えることを特徴とするタッチパネル付表示装置。」
【２】引用例
(1)原査定の拒絶の理由に引用された特開平８ー２２１１７３号公報（以下、「引用例１」という。）には、その実施例及び図面を参酌すると、以下のとおりの記載が認められる。
(i)「従来のタッチパネルでは、操作者が「スイッチを操作した」という操作感が不足している。これは機械式のスイッチではばね等を用いて、操作者に触覚により操作感が与えられるのに対して、タッチセンサ式のスイッチでは触覚に対する刺激が少ないためである。
【0005】また、機械式のスイッチでは、暗闇でも、あるいは目の不自由な人でも、スイッチに触れて触覚により外形形状を認識することができるので、スイッチの位置、種類が認識しやすく、操作が容易であるが、タッチセンサ式のスイッチでは、スイッチは平らな表示画面上に形成され、スイッチに対応する凹凸を有しないので、画像表示デバイスの画像を目で見て確認しない限り、スイッチを認識することができず、正しい操作を行うことが難しい。」（第2頁右欄第30〜44行）
(ii)「【課題を解決するための手段】前記目的を達成するために、本発明の入力装置は、該入力装置の所定のスイッチを操作者が触れたか押したとき、前記操作者に衝撃または振動を与え、前記所定のスイッチが触れられたか押されたことを前記操作者に知らせることを特徴とする。
【0009】また、入力装置の所定のスイッチを操作者が触れたか押したとき、前記操作者に衝撃または振動を与え、前記所定のスイッチの位置を前記操作者に知らせることを特徴とする。」（第3頁左欄第3〜11行）
(iii)「図１は本発明による入力装置の構成を示す図である。
【0020】３は液晶表示素子（ＬＣＤ）等のフラットディスプレイタイプのタッチパネル、１は電力により衝撃を与えるアクチュエータである電磁ハンマー、５は制御装置（コントローラ）である。電磁ハンマー１は、ソレノイド１１、プランジャ１２、スプリング１３から構成される。なお、ソレノイド１１の代わりにモータを用いることができる。
【0021】制御装置５は、タッチパネル３に表示する内容を制御し、タッチパネル３の操作者の操作内容を判定・判断するとともに、電磁ハンマ１を制御する。」（第3頁右欄第4〜14行）
(iv)「制御装置５は、あらかじめタッチパネル３の操作・応答について取り決め、設定されたプログラムによって、タッチパネル３を構成する画像表示デバイスの画面に、図３、図４に例示するようなスイッチや指示等を表示する。画像表示デバイスの画面上に設けたタッチパネルは、ソフトウェアによりスイッチ等の表示を容易に変更することができる点が１つの特徴である。」（第3頁右欄第20〜26行）
(v)「操作者がタッチパネル３の画面上に表示された特定のスイッチを押すと、タッチパネル３はそのスイッチが操作されたことを制御装置５に知らせる。制御装置５はその内容を判定して、その信号を当該タッチパネル３を備えた対象装置（図示省略。例えば銀行のＡＴＭや各種機械・機器）へ知らせる。なお、タッチパネルは広い意味でのスイッチであるから、対象装置へ各種の信号を出力するとともに、タッチパネルは表示装置でもあるから、対象装置からの信号を表示する。
【0025】このとき、制御装置５は対象装置へ知らせるとともに、電磁ハンマ１にも信号を出し、電磁ハンマ１を作動させて、タッチパネル３へ裏側から衝撃を与え、触覚を通して操作者の指先に（あるいは操作者の手に持ったペン等を介して）スイッチが押された（触れられた）ということを知らせる。または、押されたスイッチによりタッチパネル３が出力した信号によって対象装置が応答した情報を元に、対象装置が動作したことを確認してから、電磁ハンマ１を作動させて、対象装置が動作したということを知らせてもよい。」（第3頁右欄第29〜47行）
(vi)「操作者がタッチパネル４に触れたとき、タッチパネル４は画面上の特定のスイッチが操作されたと制御装置５に知らせる。制御装置５はその内容を判定してスイッチのない位置であれば無視し、スイッチのある位置であればあらかじめ定めてあった振動を出すようにバイブレータ２に指示する。これにより、操作者は今触れている部分がどのキーか触覚を通して知ることができる。操作者は押すべきスイッチを見つけたら、例えば１秒間に２回以上押し、入力を行う。このとき、実施例１と同様に、電磁ハンマ１により所定の衝撃が与えられ、操作者はそのスイッチの操作が行われたことを確認できる。」（第4頁右欄第45行〜第5頁左欄第6行）
(2)同じく拒絶の理由に引用された特開昭58-182746号公報（以下、「引用例２」という。）には、その実施例及び図面を参酌すると、以下のとおりの記載が認められる。
(i)「タッチ式入力板の下にタッチ圧検出手段を設け、さらに該検出手段の出力を比較する比較手段と該比較手段に基準レベルを与えるレベル設定手段とを設けるとともに前記タッチ式入力板に対する操作者のタッチ圧に応じた比較手段の出力によって、入力すべき信号の入力を制御するようにしたことを特徴とするタッチ式入力装置。」（第1頁、特許請求の範囲）
(ii)「操作者は自分の好みのタッチ圧以上のタッチ操作を行うと、そのタッチ圧に応じた電圧がコンパレータOPに入力され、その電圧は、あらかじめ操作者の好みによって設定されたコンパレータOPに対する基準電圧と比較される。そしてコンパレータOPからＨレベルの出力がANDゲート9に入力されるとともに人力すべも位置検出信号(Ｈレベル)が端子10からANDゲート9に入カされ、その位置検出信号はANDゲート9の端子11から電算機等へ人力される。なおこの際、タッチ式人力板1に対するタッチ圧が、あらかじめ設定されたタッチ圧以下の場合、例えば操作者が無意識のうちにタッチ式入力板1に軽くタッチしたような場合にはコンパレータOPから、Ｌレベルの出力がANDゲート9に入力されるので、不要な位置検出信号は入力されない。」（第3頁左上欄第11行〜同頁右上欄第7行）
(3)同じく拒絶の理由に引用された特開平2-50217号公報（以下、「引用例３」という。）には、その実施例及び図面を参酌すると、以下のとおりの記載が認められる。
(i)「電子紙器の表示画面の前面に設けられる透明なタッチパネルを制御するタッチパネル制御方式であって、前記タッチパネルへの接触位置を検出する位置検出手段と、前記タッチパネルへの接触圧を検出する接触圧検出手段と、接触圧が少なくとも所定以下であるとき、当該接触位置に応じた前記表示画面の表示位置に所定情報を表示する表示手段と、前記接触圧検出手段で検出された接触圧が所定以上であるときには、当該接触位置の位置情報を前記電子機器に出力する出力手段とを備える。
［作用］
　かかる本発明の構成において、接触圧が低いときには、その接触位置に応じた表示画面上の位置に対応する情報を表示し、構触圧が高いときにはその接触位置を電子機器に出力するものである。」（第2頁右上欄第13行〜同頁左下欄第12行）
(ii)「図中、1は実施例におけるタッチパネルであって、2はCRT表示装置、3はタッチパネルに印加する電圧である。4はタッチパネル1上に指をタッチしたときの圧力を検出する圧力検出器、5はタッチされた座標位置を検出する位置検出器である。6は圧力検出器4で検出された圧力値に基づいて、得られたタッチ位置情報を電子機器本体に出力するか否かを判断する圧力判断器である。」（第2頁右下欄第4〜12行）
(iii)「操作者によるタッチパネル1への接触位置を検出したときには、その位置情報を表示制御部7に出力して対応する表示画面上にカーソルを表示させる(対応する箇所を明示するべく反転表示や表示色を変更する等も考えられる)。
　そして、このとき、その接触位置への圧力を検出し、その圧力が所定以下のときには、その座標位置を電子機器本体には出力しない様にするものである。換言すれば、所定圧力以上で圧迫したときのみ、その座標位置を電子機器本体側に出力する。そして、この処理は圧力判断器6で行うものである。」（第3頁右上欄第13行〜同頁左下欄第8行）
【３】対比・判断
（対比）
　本願の請求項１に係る発明（以下、「本願発明」という。）と前記引用例１に記載された発明とを対比すると、引用例１における「画像表示デバイス」及び「電磁ハンマー(1)或いはバイブレータ(2)」は、それぞれ本願発明における「表示パネル」及び「駆動手段」に相当するものと認められ、また引用例１におけるタッチパネル(3)(4)においてもタッチスイッチとして機能するものであるからスイッチ使用領域が設定されるものであり、さらに引用例１における制御装置(5)は「あらかじめタッチパネル３の操作・応答について取り決め、設定されたプログラムによって、タッチパネル３を構成する画像表示デバイスの画面に、図３、図４に例示するようなスイッチや指示等を表示する」とともに「操作者がタッチパネル４に触れたとき、タッチパネル４は画面上の特定のスイッチが操作されたと……その内容を判定してスイッチのない位置であれば無視し、スイッチのある位置であればあらかじめ定めてあった振動を出すようにバイブレータ２に指示する」ように制御するものであるから、本願発明における操作位置検出手段とスイッチ使用領域設定手段及び一致検出手段として機能するとともに、引用例１にあっても所定のタッチパネル（スイッチ）が押されたときにこれを操作者に知らせるものであることから押圧検出手段及び駆動信号発生手段を具備するものと認められる。
　したがって、両者は、以下のとおりの一致点及び相違点を有するものと認められる。
（一致点）
「情報表示機能を有する表示パネルと、この表示パネルの上方近傍に配置されていて、操作された位置を表すための一種類以上の位置成分信号を出力する透明または半透明のタッチパネルと、このタッチパネルからの位置成分信号に基づいて、当該タッチパネルの操作位置を検出してその操作位置を表す操作位置信号を出力する操作位置検出手段と、前記タッチパネルにおいてスイッチとして使用するスイッチ使用領域を設定するスイッチ使用領域設定手段と、このスイッチ使用領域設定手段で設定したスイッチ使用領域と、前記操作位置検出手段で検出した操作位置とを比較して、前者と後者が重なるときに一致検出信号を出力する一致検出手段と、前記タッチパネルが押されたことを検出して押圧検出信号を出力する押圧検出手段と、この押圧検出信号に応答して駆動信号を発生する駆動信号発生手段と、この駆動信号発生手段から与えられる駆動信号に基づいて前記タッチパネルを機械的に駆動して当該タッチパネルの操作者に触感応答を与える駆動手段とを備えるタッチパネル付表示装置。」
（相違点）
(i)押圧検出手段が、本願発明にあっては、タッチパネルが所定の押圧力以上で押圧されたことを検出して押圧検出信号を出力するものであるのに対して、引用例１にあっては、触れられたか押されたことを検出するものである点。
(ii)本願発明にあっては、一致検出手段から一致検出信号および押圧検出手段から押圧検出信号が共に与えられたときにアンド信号を出力する論理積手段を備えるものであるのに対して、引用例１にあっては、この構成を具備しない点。
(iii)本願発明にあっては、常時は操作位置検出手段から与えられる操作位置信号の通過を阻止しており、論理積手段からアンド信号が与えられたときに当該阻止を解除して前記操作位置信号を通過させて出力するゲート手段とを備えるものであるのに対して、引用例１にあっては、この構成を具備しない点。
（検討）
　前記相違点について、以下に検討する。
　相違点(i)について、引用例１にあっても押されたことを検出するためには所望の押圧力を設定して検出するものと認められ、例えば前記引用例２にも開示されているように、タッチ圧調整用つまみ(13)を設けて所定の押圧力以上で押圧されたことを検出する構成は周知の技術的事項であるから、相違点(i)に係る本願発明のように構成することは当業者が適宜になし得ることと認められる。
　相違点(ii)について、前記引用例２には、特に第１図をみると、位置検出信号（なお、この位置検出信号はタッチ入力板(1)におけるものであることから、本願発明における一致検出信号に相当する。）がアンドゲート(9)の一方(10)に入力され、この位置検出信号とタッチ圧による信号とのアンド出力が端子(11)から電算機等へ入力されることで、「不要な位置検出信号は入力されない」ようにすることが開示されており、相違点(ii)に係る本願発明のように構成することは当業者が容易になし得ることと認められる。
　相違点(iii)について、前記引用例３には、位置検出器(5)からの位置検出信号をそのまま（ゲート手段といえる後記圧力判断器(6)を経由することなく）表示制御部(7)に送って例えば表示画面を制御するとともに、この位置検出器(5)からの位置検出信号は、常時は圧力判断器(6)を介して阻止され、圧力検出器(4)からの押圧信号が与えられた時のみ位置データとして出力することが開示（前掲摘記した(iii)項参照）されており、相違点(iii)に係る本願発明のように構成することは当業者が容易になし得ることと認められる。
　また、本願発明により奏する作用効果も、当業者が予測し得る程度のものであって格別のものとは認められない。
【４】まとめ
　以上のとおりであって、本願の特許請求の範囲の請求項１に係る発明は、前記引用例１乃至３に記載された発明に基づいて当業者が容易に発明をすることができたものと認められるので、特許法第２９条第２項の規定により特許を受けることができない。
　したがって、本願は、その余の請求項について論及するまでもなく、拒絶すべきものである。
　よって、結論のとおり審決する。